(57)【要約】【課題】首輪を犬の首の周りに取付けたり取外すのを容易に行なえるようにするとともに、犬が動こうとして犬の首に負荷がかかった場合に、過度の変形を押えて犬に苦痛を与えるようなことがなく、しかも首輪が犬から簡単に抜け落ちることのない首輪を提供しようとするものである。【解決手段】首輪のベルト部分の両端を開放し、かつ該両端に手の幅に応じた握りを備えた取っ手を一体的に連結するとともに、前記ベルト部分には反発力を備えたスプリング材を内装し、かつ前記ベルト部分の両端を弾性帯で連結して、犬の引張り力が作用しても前記ベルト部分の両端の間隔が必要以上に狭まらないようにして、犬の首に過度の締め付け力がかからないようにしたことを特徴とする取っ手付き首輪。【選択図】図１
2010273633.tif 000002
【特許請求の範囲】
【請求項１】
首輪のベルト部分の両端を開放し、かつ該両端に手の幅に応じた握りを備えた取っ手を一体的に連結するとともに、前記ベルト部分には反発力を備えたスプリング材を内装し、かつ前記ベルト部分の両端を弾性帯で連結して、犬の引張り力が作用しても前記ベルト部分の両端の間隔が必要以上に狭まらないようにして、犬の首に過度の締め付け力がかからないようにしたことを特徴とする取っ手付き首輪。
【請求項２】
前記ベルト部分が、反発力を備えたスプリング材を内装されていて他の部分よりも重くなっており、したがって不使用時には取っ手が、自動的に犬の首の上部に位置するようにしたことを特徴とする請求項１に記載の取っ手付き首輪。
【請求項３】
前記手の幅に応じた握りを備えた取っ手が、その中間部位で分断されており、したがって犬の首に取付けあるいは取り外す場合に取っ手が大きく開くことが可能となり、犬の首への取付けあるいは取り外しを容易にしたことを特徴とする請求項１または２に記載の取っ手付き首輪。
【発明の詳細な説明】
【技術分野】
【０００１】
本発明は、フライボールやエアドッグのような犬の競技会において、また室内等で例えば来客が来たときにとっさに保持したい場合等において使用する取っ手付き首輪に関するものである。
【背景技術】
【０００２】
従来、犬の首輪としてグリップを一体的に備えたものとしては、米国特許第５３７９７２６号明細書（特許文献１参照）がある。
この特許文献１には、ステンレススチ−ル製の補強板で補強したベルトに、取っ手両端の二ヶ所でリベットにより結合固定された取っ手が示されている。
【先行技術文献】
【特許文献】
【０００３】
【特許文献１】米国特許第５３７９７２６号明細書
【発明の概要】
【発明が解決しようとする課題】
【０００４】
しかしながら前記先行技術では、取っ手を取り付けるベルト部分を強固に補強することが必要となり、また犬の首の回りに所定のサイズで取り付けているために、取付け取外しのための締付金具が必要となり、したがって取付け取外しに手間がかかるという問題があった。
そこでこの発明の取っ手付き首輪は、首輪を犬の首の周りに取付けたり取外すのを容易に行なえるようにするとともに、犬が動こうとして犬の首に負荷がかかった場合に、過度の変形を押えて犬に苦痛を与えるようなことがなく、しかも首輪が犬から簡単に抜け落ちることのない首輪を提供しようとするものである。
【課題を解決するための手段】
【０００５】
すなわちこの発明の取っ手付き首輪は、首輪のベルト部分の両端を開放し、かつ該両端に手の幅に応じた握りを備えた取っ手を一体的に連結するとともに、前記ベルト部分には反発力を備えたスプリング材を内装し、かつ前記ベルト部分の両端を弾性帯で連結して、犬の引張り力が作用しても前記ベルト部分の両端の間隔が必要以上に狭まらないようにして、犬の首に過度の締め付け力がかからないようにしたことを特徴とするものである。
この反発力を備えたスプリング材としては、金属素材や合成樹脂素材、ＦＲＰ等が好適に使用できる。
【０００６】
またこの発明の取っ手付き首輪は、前記ベルト部分が、反発力を備えたスプリング材を内装されていて他の部分よりも重くなっており、したがって不使用時には取っ手が、自動的に犬の首の上部に位置するようにしたことをも特徴とするものである。
【０００７】
さらにこの発明の取っ手付き首輪は、前記手の幅に応じた握りを備えた取っ手が、その中間部位で分断されており、したがって犬の首に取付けあるいは取り外す場合に取っ手が大きく開くことが可能となり、犬の首への取付けあるいは取り外しを容易にしたことをも特徴とするものである。
【発明の効果】
【０００８】
上述のように、請求項１の取っ手付き首輪は、従来の取っ手付き首輪としての機能を持つことはもちろんのこと、例えばフライボールやエアドッグのような犬の競技会において、また室内等で例えば来客が来たときにとっさに保持したい場合等において、犬の引張り力が作用した状態であっても前記ベルト部分の両端の間隔が必要以上に狭まらないようにして、犬の首に過度の締め付け力がかからないようにしたことにより、犬に苦痛を与えることなく競技を行うことができるようになった。
また、前記ベルト部分の両端を弾性帯で連結してあるので、首輪が犬の首から不用意に外れてしまうことがない。
【０００９】
また請求項２の取っ手付き首輪によれば、不使用時には取っ手が、自動的に犬の首の上部に位置するようになるので、使用者にも使い勝手のよい首輪が提供可能である。
【００１０】
請求項３の取っ手付き首輪によれば、前記手の幅に応じた握りを備えた取っ手がその中間部位で分断されており、したがって犬の首に取付けあるいは取り外す場合に取っ手が大きく開くことが可能となり、犬の首への取付けあるいは取り外しが容易な首輪が提供可能である。
【図面の簡単な説明】
【００１１】
【図１】この発明の取っ手付き首輪の１実施例を示す正面図である。
【図２】この発明の取っ手付き首輪の使用状態を示す正面図である。
【図３】この発明の取っ手付き首輪の他の実施例を示す正面図である。
【発明を実施するための形態】
【００１２】
以下添付図面にしたがってこの発明の取っ手付き首輪の実施の形態を説明する。
図１および図２に示す実施例おいて、１１は取っ手付き首輪で、該取っ手付き首輪１１のベルト部分１２はその両端が開放されている。
このベルト部分１２は、内側に反発力を備えたスプリング材１３を内装され、スプリング材１３は柔軟性のあるスポンジ状被膜１４で被覆されている。したがって、前記取っ手付き首輪１１のベルト部分１２に犬の引張り力が作用した状態であっても、ベルト部分１２は所定のサイズを保とうとしているので、犬の首に不必要な締め付け力が作用しないようになっている。
【００１３】
犬の競技会としてフライボールやエアドッグなどがあるが、そのような競技に際しては犬を始動の状態において競技者の手元に保持しておくことが必要である。また室内等で例えば来客が来たときに、犬をとっさに保持したい場合等においてリードほど大げさでなく使用できるものが望まれている。
そして、犬は始動状態において引張ろうとする習性があるため、犬の首輪には強い引張り力が作用する。しかしながらベルト部分１２には、内側に反発力を備えたスプリング材１３を内装されている。したがって、前記取っ手付き首輪１１のベルト部分１２に犬の引張り力が作用しても、ベルト部分１２は所定のリングサイズを保とうとするので、犬の首に不必要な締め付け力が作用しない
【００１４】
同様に、前記ベルト部分１２は、上述のように反発力を備えたスプリング材１３を内装されているため、他の部分よりも重くなっている。すなわち、不使用時には前記ベルト部分１２は自重によって犬の首の下に位置するように回転し、その反対に後述の取っ手２１は犬の首の上部に位置するようになる。
したがって、通常取っ手２１は犬の首の上部に位置しており、使用の際には何もしないで取っ手２１をすばやく握ることができる。
【００１５】
両端を開放された前記ベルト部分１２は、該両端に手の幅に応じた握り２２を備えた取っ手２１が一体的に連結されている。このベルト部分１２と取っ手２１とは同様の強靭な素材、例えばナイロン製の織物等で形成されており、取っ手２１部分には強度や剛性のある芯材（図示せず）を内装しておくことができる。
【００１６】
また、前記ベルト部分１２の両端は取っ手２１との間を仕切るように弾性帯２３で連結してある。この弾性帯２３としては、ゴムバンドや弾性繊維の織物からなる弾性バンドが好適に使用可能である。なお、このように弾性帯２３を前記ベルト部分１２と取っ手２１との間を仕切るように取付けたことにより、取付け取外しのための締付金具が不要となる。
前記弾性帯２３は、前記ベルト部分１２と取っ手２１とを重ねて縫製等によって連結固定する際に、前記ベルト部分１２と取っ手２１との間に介在させることにより、簡易迅速に組み込むことができる。
もちろん、弾性帯２３、ベルト部分１２及び取っ手２１の連結固定の手段は縫製に限られるものではなく、固定金具やその他適宜の固定手段を採用することができる。
【００１７】
この発明の取っ手付き首輪１１は以上のように構成したので、犬の競技に際して競技者が取っ手２１の握り２２を握り締めている際に犬が引張って、図１の矢印の方向に前記引張り力が作用して、図２のように前記ベルト部分１２の両端の間隔が自然に狭まるようになっても、前記ベルト部分１２に内装した反発力を備えたスプリング材１３がもとの形状に戻ろうとする力（図２の矢印の方向）が作用するので、犬の首への締付け力は大幅に軽減される。
【００１８】
したがって、この発明の取っ手付き首輪１１は以上のように構成したことにより、犬がむやみに引張っても犬の首には犬に苦痛を与えるような締付力が働かないようになるのである。
なお、前記弾性帯２３を設けたことにより、前記ベルト部分１２が大きい径に拡がって犬の首への締付け力が解除されても、取っ手付き首輪１１が犬の首から脱落することがなく、また前記弾性帯２３部分は引張るだけで容易に拡げることができるので、取っ手付き首輪１１を簡単に犬の首に装着したり、取外すことができるようになる。
【００１９】
図３の実施例において、取っ手付き首輪３１は前記手の幅に応じた握り３３を備えた取っ手３２が、その中間部位で分断されている。３４は分断部位に取付けた保護部材、３５は弾性帯である。
したがって犬の首に取付けあるいは取り外す場合に取っ手３２が大きく開くことが可能となり、取っ手付き首輪３１を犬の首へ取付けあるいは取り外す作業が容易に行なえるようになった。
【００２０】
また、前記保護部材３４にはＤ環３６等を介してチェーン類３７が連結できるようになっており、したがってこの実施例の首輪３１においては、通常の散歩等に用いる犬の首輪としても使用することができるのである。
【産業上の利用可能性】
【００２１】
上記においては、この発明の取っ手付き首輪を犬の首輪として使用することを主眼として説明してきたが、その他のペットや動物等にも適用できることはいうまでもない。
【符号の説明】
【００２２】
１１  取っ手付き首輪
１２  ベルト部分
１３  スプリング材
１４  スポンジ状被膜
２１  取っ手
２２  握り
２３  弾性帯
３１  取っ手付き首輪
３２  取っ手
３３  握り
３４  保護部材
３５  弾性帯
３６  Ｄ環
３７  チェーン類
【図１】
2010273633.tif 000003
【図２】
2010273633.tif 000004
【図３】
2010273633.tif 000005